(57)【要約】      （修正有）【課題】高圧縮フェルトを用いた板材に対して、室内の音が外に漏れることを防止する効果をさらに高めた防音板材を提供する。【解決手段】高圧縮フェルトにより形成され、厚さが４ｍｍ以上の平板形状であって、基準撓み量が１５０ｍｍ以下の基礎板材１ａと、一方の主面のほぼ全面に貼付された厚さが０．８〜２．５ｍｍの遮音シート１ｂを有する防音板材２１である。高圧縮フェルトは、４ｍｍ以上の厚さを持たせることで、優れた吸音性を有するものとなる。この防音板材を、例えば、壁等に配設すれば、室内の音が吸収され、外部に音が漏れにくくなる。【選択図】図１
0003223451.tif 000002
【実用新案登録請求の範囲】
【請求項１】
高圧縮フェルトにより形成され、厚さが４mm以上の平板形状であって、基準撓み量が１５０mm以下の基礎板材と、その一方の主面のほぼ全面に貼付された厚さが０．８〜２．５mmの遮音シートを有する防音板材。
【請求項２】
請求項１に記載の防音板材であって、
前記基礎板材に、
抗菌防臭加工が施されている、
防音板材。
【請求項３】
請求項１または２に記載の防音板材であって、基礎板材の遮音シートが貼付されていない方の主面に、凹凸によって模様が形成されている防音板材。
【請求項４】
請求項１から３のいずれかに記載の防音板材であって、その端面が傾斜面である防音板材。
【請求項５】
高圧縮フェルトにより形成され、厚さが４mm以上の平板形状であって、基準撓み量が１５０mm以下の基礎板材と、その一方の主面の全面及びそれに隣接する端面に貼付された厚さが０．５〜１．５mmのファブリックシートを有する防音板材。
【請求項６】
請求項５に記載の防音板材であって、前記ファブリックシートが貼付された側ではない方の主面のほぼ全面に貼付された厚さが０．８〜２．５mmの遮音シートを有する防音板材。
【請求項７】
請求項５に記載の防音板材が２枚、前記ファブリックシートが貼付された面が外側となるように固定され、間に厚さが０．８〜２．５mmの遮音シートを有する防音板材。
【考案の詳細な説明】
【技術分野】
【０００１】
本考案は、板材、例えば、壁や天井、パーティション等に配設されて防音材として使用することができる板材、に関する。
【背景技術】
【０００２】
一般家庭やオフィス等において、騒音対策として、パネル化された吸音材（いわゆる吸音パネル）を壁や床に配設することがある。例えば特許文献１には、壁に取り付けて使用する吸音パネルが開示されている。
【０００３】
特許文献１に開示されている吸音パネルは、矩形の木枠の一方側に合板を張って薄型の箱状とし、その中に、吸音材としてガラス繊維を充填した上で、木枠の他方側にビニルクロスを張って該箱の開口を塞いだものである。この吸音パネルには、引っ掛け用の金具が設けられており、これを壁に設けられた受け金具に引っ掛けることで、吸音パネルを壁に取り付けることができるようになっている。
【先行技術文献】
【特許文献】
【０００４】
【特許文献１】実開昭５１−１３５９１０号公報
【特許文献２】実用新案登録第３２０８８４７号公報
【考案の概要】
【考案が解決しようとする課題】
【０００５】
特許文献１においてもそうであるように、従来の吸音材はガラス繊維により形成されることが多かった。ところが、ガラス繊維は直接触れると皮膚や粘膜に刺激を与える。したがって、特許文献１に記載されているように、ガラス繊維が露出しないようにこれを木枠やビニルクロスで覆う必要があるが、こうすると構造が複雑になり製造コストが高くなってしまう。また、合板や木枠を用いて覆いを形成した場合、吸音パネルの重量が重くなってしまうため、壁に十分な強度の受け金具を装着する必要がある。したがって、このような受け金具が装着できない壁にはこのような吸音パネルを配置することができず、使用できる場所が限定されてしまう。また、このような吸音パネルは、これを一般のユーザが自分で設置することは難しく、専門家に設置作業を依頼する必要があった。
【０００６】
使用者が容易に設置することのできる吸音パネルとして、本件出願人は特許文献２に記載のような板材を提案した。しかし、一部の音漏れに対して改善の余地があった。
【０００７】
本考案が解決しようとする課題は、室内の音が外に漏れることを防止する効果をさらに高めた防音板材を提供することである。
【課題を解決するための手段】
【０００８】
上記課題を解決するために成された本考案に係る防音板材の第１の態様のものは、
高圧縮フェルトにより形成され、厚さが４mm以上の平板形状であって、基準撓み量が１５０mm以下の基礎板材と、その一方の主面のほぼ全面に貼付された厚さが０．８〜２．５mmの遮音シートを有するものである。
【０００９】
ただし、ここでいう「高圧縮フェルト」は、「高密度フェルト」とも呼ばれるものであり、具体的には例えば、ポリエステル等の繊維を高圧縮加工することによって、高密度（具体的には、密度が１４０kg/m3〜２８０kg/m3）としたフェルトである。
【００１０】
また、ここでいう「遮音シート」は、ポリ塩化ビニル（PVC）等の樹脂シートに鉄粉、石英粉末、重質炭酸カルシウム等を混入させて成る、一般に市販されている遮音シートである。
【００１１】
「ほぼ全面」とは、少なくともその面の中心を含み、その面の８０％以上を覆うような状態を指す。
【００１２】
さらに、ここでいう「基準撓み量」とは、図１７（ａ）に示されるように、長辺が８００mm、短辺が６００mmの長方形の板材の一方の長辺を水平に保持した際の、これと対向する他方の長辺の撓み量（一方の長辺に対する他方の長辺の垂下量）ｈにより定義される値である。なお、該撓み量ｈは、水平に保持される側の辺（ここでは長辺）の寸法にはほとんど依存しない。つまり、上記の例において、長辺が８００mmより短い（あるいは、長い）場合であっても、該撓み量ｈはほとんど変化しない。
【００１３】
高圧縮フェルトは、これに４mm以上の厚さを持たせることで、優れた吸音性を有するものとなる。その一方の主面のほぼ全面に貼付された遮音シートは、この高圧縮フェルトを透過した音をさらに反射し、音が外に漏れることを、また、外からの音が内に入ることを防止する。したがって、上記考案に係る防音板材を、例えば、壁等に配設しておけば（すなわち、壁に取り付けたり、床や天井に敷いたり、天井から吊り下げたりしておけば）、該防音板材によって室内の音が吸収され、外部に音が漏れにくくなる。すなわち、該防音板材を吸音材・防音材として用いることができる。また、該防音板材によって音が吸収されることで、壁等による音の反響が低減され、室内の音響環境を良好なものとすることもできる。
【００１４】
また、４mm以上の厚さを有する高圧縮フェルトは、吸音性・防音性だけでなく、クッション性や断熱性にも優れている。したがって、上記考案に係る防音板材を壁等に配設すると、該防音板材によって室内の衝撃が吸収されて外部に振動が伝わりにくくなるとともに、室内の安全性や保温性も高まる。すなわち、該防音板材をクッション材、あるいは、保温材として用いることもできる。
【００１５】
また、基礎板材である高圧縮フェルトは皮膚に直接触れても安全であるので、該防音板材を壁等に配設して例えば吸音材・防音材（あるいは、クッション材、保温材）として用いるにあたって、該防音板材を別部材で覆う必要がなく、吸音材・防音材等の重量が重くなることがない。したがって、その使用場所が限定されにくい。
【００１６】
さらに、基礎板材の基準撓み量が１５０mm以下であることにより、該防音板材は十分な自立性がある。例えば、図１７（ｂ）に示すように、長辺が８００mm、短辺が６００mmの長方形の板材を、短辺を垂直にして下端を固定した状態で壁面に沿って保持した場合、上端の撓み量はほぼゼロとなり（すなわち、上端まで壁面にぴったりと沿う状態となり）、十分な自立性を有する。このため、該防音板材を吸音材・防音材等として使用する場合に、これを壁に取り付ける等の施工作業に手間がかからない。
【００１７】
上記考案に係る防音板材は、壁等に配設する以外の態様で使用することもできる。
例えば、該防音板材を壁と壁の間に吊り下げて、間仕切りとして用いることもできる。この場合、該防音板材によって仕切られた一方側の音や熱が、他方側に伝わりにくくなる。
【００１８】
また例えば、避難所等で、該防音板材を床に敷いてマットレスとして使用したり、該防音板材を、個人スペースを作るための仕切りとして使用したりすることもできる。上述したとおり、該基礎板材は、吸収音性、クッション性、保温性、等に優れているため、避難所等において様々な態様で使用することができ、特に有用である。
【００１９】
上記課題を解決するために成された本考案に係る防音板材の第２の態様のものは、
高圧縮フェルトにより形成され、厚さが４mm以上の平板形状であって、基準撓み量が１５０mm以下の基礎板材と、その一方の主面の全面及びそれに隣接する端面に貼付された厚さが０．５〜１．５mmのファブリックシートを有するものである。ここにおけるファブリックシートには、天然繊維、合成繊維、混紡（例えばポリエステル９０％、綿１０％）等、様々な素材のものを用いることができ、また、その織り方も平織、綾織など様々なものを用いることができる。
【００２０】
この防音板材についても、そのファブリックシートを貼付した主面ではない方の主面のほぼ全面に、前記遮音シートを貼付してもよい。
【００２１】
前記の片面にファブリックシートを貼付した防音板材の同形のもの２枚を、そのファブリックシート張りの面を外にして貼り付け、固定して、両面がファブリックシート張りの防音板材としてもよい。
【００２２】
この両面ファブリックシート張りの防音板材においても、２枚の片面ファブリックシート張り防音板材の間のほぼ全面に前記遮音シートを挟んでもよい。
【００２３】
上記いずれの態様のものについても、前記防音板材（又は基礎板材）には、抗菌防臭加工を施しておくことができる。
【００２４】
ここでいう「抗菌防臭加工」は、繊維上の細菌の増殖を抑制し、細菌由来の悪臭を防ぐための加工であり、具体的には例えば、基礎板材である高圧縮フェルトの原料を綿に加工する段階（原綿の段階）で、該原綿に、繊維上の細菌の数を減らす除菌機能が添加されたポリエステル糸（除菌用ポリエステル糸）を混ぜ込むことによって行うことができる。
【００２５】
基礎板材に抗菌防臭加工が施された防音板材によると、防音板材に細菌が増殖することが抑制され、これにより防音板材を清浄な状態に保つことができる（抗菌効果）。また、防音板材に細菌由来の悪臭が発生することを抑制することができる（防臭効果）。
【００２６】
また、前記両態様の防音板材において、
少なくとも一方の主面に、当該主面とそれが配設される配設面とを離間させるスペーサー部材を設けることができる。
【００２７】
この構成によると、該防音板材を例えば壁に取り付けた場合に、壁と防音板材が僅かに離間した状態となる。したがって、防音板材から壁に音や衝撃が伝わりにくい、ひいては、外部に音や振動が特に伝わりにくい。
【００２８】
また、前記第１の態様の防音板材において、
前記遮音シートが貼付されていない側の板材の面に、凹凸によって模様を形成しておくことができる。
【００２９】
この構成によると、該防音板材の装飾性を高めることができる。
【００３０】
また、前記防音板材において、その基礎板材の端面を傾斜面とすることができる。
【００３１】
この構成によると、例えば、複数の防音板材を隙間を設けずに平面上に並べた場合に、防音板材間の境界に断面がＶ字状のラインが現れ、これにより装飾性を高めることができる。また例えば、傾斜面の傾斜角度を４５度以上としておけば、防音板材を、ある面とそれと９０度をなす別の面（例えば、壁と天井、あるいは、壁と床）のそれぞれに配設する場合に、各面の境界まで防音板材を配設しても防音板材同士が干渉しない。したがって、各面の境界まで防音板材で覆うことが可能となり、吸音効果や保温効果を高めることができる上、好ましい美観も実現できる。
【考案の効果】
【００３２】
本考案に係る防音板材は、板材が厚さが４mm以上の高圧縮フェルトにより形成されるので、優れた吸音性を有する。また、遮音シート或いはファブリックシートがさらに防音性を高める。したがって、該防音板材を壁等に配設して吸音材・防音材として用いることができる。また、フェルトは皮膚に直接触れても安全であるので、該防音板材を例えば吸音材・防音材として使用する場合に、その使用場所が限定されにくい。
【図面の簡単な説明】
【００３３】
【図１】防音板材を模式的に示す図である。
【図２】防音板材を壁に取り付けて使用する態様の一例を示す図である。
【図３】防音板材を床に敷いて使用する態様の一例を示す図である。
【図４】防音板材を製造するための一連の工程を示す図である。
【図５】基礎板材に面取り加工がなされた防音板材を示す図である。
【図６】基礎板材に凹凸形成加工がなされた防音板材２種（(a)は模様、(b)は文字）を示す図である。
【図７】スペーサー部材が配設された防音板材(a)およびそれが壁に取り付けられた状態(b)を示す図である。
【図８】基礎板材に溝形成加工がなされた防音板材を示す図である。
【図９】基礎板材に複数の溝が形成された防音板材を示す図である。
【図１０】防音板材を天井から吊り下げて使用する態様の一例を示す図である。
【図１１】マグネットが配設された防音板材を示す図である。
【図１２】複数枚の防音板材を用いて形成される複合板材の一例の図である。
【図１３】複数枚の防音板材を用いて形成される複合板材の別の例の図である。
【図１４】片面ファブリックシート張りの防音板材を例示する図であり、(a)は表面、(b)は裏面を表す。
【図１５】片面ファブリックシート張りの、ファブリックシートの反対面に遮音シートを貼付した防音板材を例示する図である。
【図１６】両面ファブリックシート張りの、中間面に遮音シートを介挿した防音板材を例示する図である。
【図１７】基準撓み量を説明するための図である。
【図１８】防音板材の遮音効果試験の結果を示すグラフである。
【考案を実施するための形態】
【００３４】
以下、添付の図面を参照しながら、本考案の実施形態について説明する。以下の実施形態は、本考案を具体化した一例であって、本考案の技術的範囲を限定するものではない。
【００３５】
［第１の態様］
＜１．構成＞
実施形態の第１の態様に係る防音板材について、図１を参照しながら説明する。図１は、防音板材２１を模式的に示す図である。
【００３６】
防音板材２１は基礎板材１ａと遮音シート１ｂから成る。基礎板材１ａは高圧縮フェルトにより形成され、厚さｄ1が４mm以上の平板形状である。また、基礎板材１ａは、その基準撓み量ｈが１５０mm以下である。
【００３７】
ただし、ここでいう「高圧縮フェルト」は、「高密度フェルト」とも呼ばれるものであり、後に明らかになるように、ポリエステル等の繊維を高圧縮加工することによって、高密度（具体的には、密度が１４０kg/m3〜２８０kg/m3）としたフェルトである。
【００３８】
なお、基礎板材１ａの厚さｄ1が比較的小さい場合には、密度を上記の範囲内の比較的大きな値とすることで、基礎板材１ａの撓み量を十分に小さくすることができる。例えば、基礎板材１ａの厚さｄ1が４mmの場合、密度は２７５kg/m3（超超高密度）であることが好ましい。また、基礎板材１ａの厚さｄ1が９mmである場合、密度は、２００kg/m3（超高密度）、あるいは、１４５kg/m3（基準高密度）であることが好ましい。
【００３９】
また、ここでいう「基準撓み量ｈ」とは、図１７（ａ）に示されるように、長辺が８００mm、短辺が６００mmの長方形の板材の一方の長辺を水平に保持した際の、これと対向する他方の長辺の撓み量（一方の長辺に対する他方の長辺の垂下量）ｈにより定義される値である。なお、該撓み量ｈは、水平に保持される側の辺（ここでは長辺）の寸法にはほとんど依存しない。つまり、上記の例において、長辺が８００mmより短い（あるいは、長い）場合であっても、該撓み量ｈはほとんど変化しない。
【００４０】
なお、厚さｄが同じであれば、密度が大きいほど基準撓み量ｈは小さくなる。また、密度が同じであれば、厚さｄが小さいほど基準撓み量ｈは小さくなる。
例えば、厚さｄ1が９mmであって密度が２７５kg/m3（超超高密度）の基礎板材１ａの場合、基準撓み量ｈは１８mm（撓み率３％）となる。また例えば、厚さｄ1が９mmであって密度が２００kg/m3（超高密度）の基礎板材１ａの場合、基準撓み量ｈは３０mm（撓み率５％）となる。また例えば、厚さｄ1が４mmであって密度が１４５kg/m3（基準高密度）の基礎板材１ａの場合、基準撓み量ｈは、１３８mm（撓み率２３％）となる。
【００４１】
基礎板材１ａの一方の面のほぼ全面に貼付された遮音シート１ｂは、ポリ塩化ビニル（PVC）樹脂に鉄粉、石英粉末、重質炭酸カルシウムを混入させた、厚さｄ2が１．２mmのシートである。
【００４２】
＜２．使用態様＞
防音板材２１は、例えば、図２に示されるように、壁６に取り付けて用いることができる。また、図３に示されるように、床７に敷いて用いることもできる。また、天井に敷いて用いることもできる。
【００４３】
防音板材２１を壁６に取り付ける場合、当該取り付けは、例えば、ピン２（図７参照）を用いて行うことができる。ピン２として、例えば虫ピンのような細いものを用いることができる。細いピンを用いれば、壁６を傷つけることなく、板材１を取り付けることができる。あるいは、壁６等に、これを傷つけないように予めテープ等（例えば、養生テープ）を貼り付けておき、そこに接着剤あるいは粘着剤（例えば、ホットメルト接着剤）を塗布して防音板材２１を取り付けてもよい。それ以外にも、例えば、面ファスナーやフック等を用いて取り付けることもできる。
【００４４】
上述したとおり、防音板材２１の基礎板材１ａは、厚さｄ1が４mm以上の高圧縮フェルトにより形成されるところ、高圧縮フェルトは、これに４mm以上の厚さｄ1を持たせることで、優れた吸音性・防音性を有するものとなる。また、防音板材２１はさらに遮音シート１ｂが貼付されているので、その防音性はさらに高いものとなる。したがって、防音板材２１を、例えば、壁６等に配設しておけば（すなわち、壁６に取り付けたり、床７や天井に敷いたりしておけば）、防音板材２１によって室内の音が吸収・遮断され、外部に音が漏れにくくなる。すなわち、防音板材２１を吸音材・防音材として用いることができる。また、防音板材２１によって音が吸収されることで、壁６等による音の反響が低減され、室内の音響環境を良好なものとすることもできる。したがって、防音板材２１は、例えばテレビやステレオ等の音響設備や楽器等が置かれた部屋の壁６（特に、音響設備等の背面側の壁６）等に配設して用いるのに好適である。
【００４５】
さらに、４mm以上の厚さｄ1を有する高圧縮フェルトから成る基礎板材１ａは、吸音性だけでなく、クッション性や断熱性にも優れている。したがって、防音板材２１を壁６等に配設すると、防音板材２１によって室内の衝撃が吸収されて外部に振動が伝わりにくくなるとともに、室内の安全性や保温性も高まる。すなわち、防音板材２１をクッション材、あるいは、保温材として用いることもできる。したがって、防音板材２１は、例えば子供部屋の壁６等（特に、床７）に配設して用いるのに好適である。
【００４６】
また、防音板材２１の基礎板材１ａは高圧縮フェルトにより形成されるところ、高圧縮フェルトは皮膚に直接触れても安全であるので、防音板材２１を、基礎板材１ａを手前側（室内側）にして壁６等に配設して例えば吸音材・防音材（あるいは、クッション材、保温材）として用いるにあたって、防音板材２１を別部材で覆う必要がなく、吸音材・防音材等の重量が重くなることがない。したがって、その使用場所が限定されにくい。
【００４７】
また、防音板材２１は、その基準撓み量ｈが１５０mm以下であるので、十分な自立性がある。例えば、図１７（ｂ）に示すように、長辺が８００mm、短辺が６００mmの長方形の防音板材２１を、短辺を垂直にして下端を固定した状態で壁面に沿って保持した場合、上端の撓み量はほぼゼロとなり（すなわち、上端まで壁面にぴったりと沿う状態となり）、十分な自立性を有する。このため、防音板材２１を吸音材・防音材等として使用する場合に、これを壁６に取り付ける等の施工作業に手間がかからない。
【００４８】
なお、防音板材２１を壁６等に配設して用いる場合、防音板材２１を、一辺の長さが４００mm〜８００mm程度の矩形状とすることが好ましい。
【００４９】
このような防音板材２１を用いて比較的広い面領域に吸音材・防音材等を配設したい場合は、図２、図３に例示されるように、複数の防音板材２１を該面領域に隙間無く並べるようにすればよい。
【００５０】
個々の防音板材２１を上記のように比較的小さなサイズにしておいて、広い面領域に対しては、該防音板材２１を複数個並べて配設する態様としておけば、大きさや形状が異なる様々な面領域に柔軟に対応することが可能となるとともに、１個の防音板材２１の重量が十分軽量なものとなるので、個々の防音板材２１を壁６等へ取り付ける作業が非常に簡単なものとなる。
【００５１】
＜３．製造方法＞
防音板材２１の製造方法について、図４を参照しながら説明する。図４は、防音板材２１を製造するための一連の工程を示す図である。
【００５２】
まず、基礎板材１ａの材料となる原綿（ここでは例えば、１００％ポリエステルのポリエステル原綿）を準備する（ステップＳ１）。ここで、必要に応じて、原綿に、繊維上の細菌の数を減らす除菌機能が添加されたポリエステル糸（除菌用ポリエステル糸）を混ぜ込む。これによって、抗菌防臭加工が施された基礎板材１ａを得ることができる。抗菌防臭加工が施された基礎板材１ａによると、基礎板材１ａに細菌が増殖することが抑制され、これにより基礎板材１ａ、ひいては防音板材２１を清浄な状態に保つことができる（抗菌効果）。また、基礎板材１ａ、防音板材２１に細菌由来の悪臭が発生することを抑制することができる（防臭効果）。
【００５３】
次に、原綿の繊維をのばし広げるとともに、短繊維やごみなどを取り除く（所謂、開綿）（ステップＳ２）。続いて、開綿された繊維を開繊し、これを櫛等で均して、繊維方向が揃った状態（あるいは、繊維方向がランダムに配向した状態であってもよい）の薄いシートを形成する（所謂、カーディング）（ステップＳ３）。続いて、カーディングによって得られた薄いシートを複数枚重ねてウェブを形成する（ステップＳ４）。
【００５４】
次に、得られたウェブに多数の針（ニードル）を刺し込んで繊維を交絡させる（所謂、ニードルパンチ加工）（ステップＳ５）。具体的には、該工程において、例えばニードルパンチ機械を用いて、ウェブの表裏面のそれぞれに上下移動するニードルを刺し込んで繊維を緻密に絡ませて緊密にする工程と、ローラでウェブを挟み込んでこれを圧縮して表裏面を整える工程とが、交互に複数回行われる。
【００５５】
このニードルパンチ加工および次の熱圧縮加工によって、ポリエステルの繊維が高密度（具体的には、密度が１４０kg/m3〜２８０kg/m3）となるように圧縮され、これによって高圧縮フェルトが得られる。
【００５６】
続いて、ニードルパンチ加工後のウェブを加熱して圧縮し、その厚さを所定値（４mm以上の所定値）に成型する（熱圧縮加工）（ステップＳ６）。その後、これを必要に応じて所定のサイズにカットする。
【００５７】
以上のステップＳ１〜ステップＳ６によって、平板形状に形成された高圧縮フェルトであって、厚さが４mm以上であり、かつ、基準撓み量ｈが１５０mm以下のもの（以下単に「原板」という）が得られる。
【００５８】
原板が得られると、これを所望する基礎板材１ａの形状およびサイズ（例えば一辺の長さが３００mmの正方形状）にカットする（ステップＳ７）。
【００５９】
得られた基礎板材１ａの一方の主面に厚さ１．２mmの遮音シート１ｂを接着剤で貼り付け、強い圧力を掛けることによりこれを固定する（ステップＳ８）。これで防音板材２１が得られる。
【００６０】
こうして得られた防音板材２１に対して、以下に例示する付加加工１〜４のうちの１個あるいは複数個を施す（ステップＳ９）。
【００６１】
付加加工１：基礎板材１ａの端面を斜めにカットして傾斜面１０とする（面取り加工）。
図５には、面取り加工がなされた基礎板材１ａが例示されている。ここに示されるように、この基礎板材１ａは、その端面が傾斜面１０となっている。当該傾斜面１０の傾斜角度（すなわち、基礎板材１ａの主面と傾斜面１０とがなす角度）は、例えば４５度とすることができる。
【００６２】
この基礎板材１ａによると、これを用いた防音板材２２を例えば隙間を設けずに複数個並べた場合に、防音板材２２間の境界に断面がＶ字状のラインが現れ、これにより装飾性を高めることができる。また、傾斜面１０の傾斜角度を４５度以上としておけば、防音板材２２を、ある面とそれと９０度をなす別の面（例えば、壁６と天井、あるいは、壁６と床７）のそれぞれに配設する場合に、各面の境界まで防音板材２２を配設しても防音板材２２同士が干渉しない。したがって、各面の境界まで防音板材２２で覆うことが可能となり、吸音効果や保温効果を高めることができる上、好ましい美観も実現できる。
【００６３】
付加加工２：基礎板材１ａの、遮音シート１ｂを貼付しない方の主面に、凹凸により模様１１を形成する（凹凸形成加工）。
図６には、凹凸形成加工がなされた基礎板材１ａが例示されている。ここに示されるように、この基礎板材１ａは、その主面に凹凸によって模様１１が形成されている。
【００６４】
凹凸の形成態様は、どのようなものであってもよい。例えば、原板を所定形状に型抜きした型抜きパーツを、別の原板の主面に貼り付けることで、凹凸を形成してもよい（所謂、レイヤー加工）。あるいは、原板の主面に熱を与えつつ型押しを施すことで、凹凸を形成してもよい（所謂、エンボス加工）。あるいは、繊維材料等を用いた静電印刷によって、凹凸を形成してもよい（所謂、静電３次元印刷）。
【００６５】
凹凸形成加工がなされることによって、装飾性の高い防音板材２３を得ることができる。なお、凹凸により形成される模様１１は、図６（ａ）に示されるように、防音板材２３の隣に別の防音板材２３が並べられた場合に、隣り合う防音板材２３間で連続性を有するものであることも好ましい。また、凹凸により形成される模様１１は、図６（ｂ）に示されるように、文字や数字等の記号であってもよいし、花や動物の形状等であってもよい。
【００６６】
付加加工３：基礎板材１ａの遮音シート１ｂを貼付した方の主面の遮音シート１ｂの外側（遮音シート１ｂを貼付していない部分）に、スペーサー部材１２を配設する（スペーサー配設加工）。
【００６７】
図７（ａ）には、スペーサー部材１２が配設された防音板材２４が例示されている。ここに示されるように、この防音板材２４は、その一方の主面の四隅付近に、スペーサー部材１２が配設されている。スペーサー部材１２としては、遮音シート１ｂの厚さ以上の所定の厚さを有するものであればどのようなものであってもよい。例えば、フェルト等を２０mm角以下のブロック状に形成したものをスペーサー部材１２として用いてもよいし、原板を該ブロック状に型抜きした型抜きパーツをスペーサー部材１２として用いてもよい。このようなスペーサー部材１２を、例えばグルーガン等を用いて、基礎板材１ａの遮音シート１ｂを貼付した方の主面の遮音シート１ｂの外側（遮音シート１ｂを貼付していない部分）に樹脂で粘着すればよい。
【００６８】
図７（ｂ）には、防音板材２４がピン２を用いて壁６に取り付けられた状態が示されている。ここに示されるように、防音板材２４が壁６に取り付けられたときに、防音板材２４と壁６（より具体的には、防音板材２４におけるスペーサー部材１２が設けられている側の主面と、該防音板材２４が配設される壁面）が僅かに（すなわち、スペーサー部材１２の厚さから遮音シート１ｂの厚さを減じた分だけ）離間した状態となる。したがって、板材１（１ｃ）から壁６に音や衝撃等が伝わりにくい、ひいては、外部に音や振動等が特に伝わりにくい。
【００６９】
付加加工４：基礎板材１ａの遮音シート１ｂを貼付しない方の主面に、Ｖ字状の溝１４を形成する（溝形成加工）。溝１４を形成する一対の壁面の傾斜角度は、４５度であることが好ましい。
この溝１４は、例えば図８に示す方法で形成することができる。すなわち、まず、カッター等を用いて、溝１４を形成したい位置に切り込み（溝１４の深さに相当する切り込み）１４１を形成する。そして、該切り込み１４１の位置で原板を折り曲げて、該切り込みの両側壁をカンナ等で削って、所定の角度（好ましくは、４５度）に傾斜した傾斜面とする。これによって、Ｖ字状の溝１４が形成される。その後、Ｖ字状の溝１４を形成した側の反対側の面に遮音シート１ｂを貼付して防音板材２５とする。
【００７０】
Ｖ字状の溝１４が形成された防音板材２５によると、溝１４の位置で防音板材２５を、遮音シート１ｂ側を内側にして折り曲げることによって（図８の一点鎖線）、防音板材２５をコンパクト化することができる。これによって、防音板材２５を梱包、搬送する際の取り扱いが容易になる。また、販売店舗で陳列等する際のスペース効率も向上する。
【００７１】
具体的には例えば、１２００mm×１２００mmといった比較的大きなサイズの防音板材２５に、これを二等分するような中央線に沿って溝１４を形成しておけば、該溝１４の位置で防音板材２５を折り曲げることでこれを１２００mm×６００mmのサイズにコンパクト化することができる。なお、梱包時等の取り扱いの容易化を目的として溝１４を形成する場合、該溝１４は、基礎板材１ａの遮音シート１ｂを貼付した方の面に形成しておいてもよい。こうすれば、防音板材２５を壁６等に配設したときに溝１４が見えなくなる。
【００７２】
また例えば、一辺の長さが３００mm（あるいは、４００mm）の正方形状の防音板材２２を基本単位として、それを使用者が、配設したい壁６等のサイズに応じた個数だけ購入する、という販売態様において、中央線に沿って溝１４が形成された３００mm×６００mm（あるいは、４００mm×８００mm）の防音板材２５をさらに販売すれば、使用者が防音板材２５を壁６等に配設する手間を少なくすることができる。この場合、溝１４を形成する一対の壁面の傾斜角度を４５度としておけば、該防音板材２５に、上述した面取り加工がなされた防音板材２２を並べることで、防音板材２５の溝１４と防音板材２２の傾斜面１０の間に統一感をもたせることができる。
【００７３】
また、Ｖ字状の溝１４が形成された防音板材２５によると、溝１４の位置で防音板材２５を折り曲げることで、該防音板材２５を、非平面の対象物に沿って配設することができる。例えば、防音板材２５を溝１４の位置で９０度に折り曲げることで、該防音板材２５を、角柱状の対象物（例えば、角柱状の柱）に巻き付けて配設したり、壁のコーナー部分に沿って配設したり、といったことが可能となる。また例えば、図９に示されるように、所定間隔（例えば、１０cm間隔）で溝１４を形成しておけば、該溝１４の配列方向に沿って防音板材２５を丸めることが可能となる。したがって、防音板材２５を、円柱状の対象物（例えば、円柱状の柱）に巻き付けて配設したり、アールのあるパーティションに沿って配設したり、といったことが可能となる。なお、上記の各例においては、溝１４を、内側（対象物側）あるいは外側のどちらに向けて配設してもよい。
【００７４】
以上のステップＳ１〜Ｓ９によって、防音板材２１〜２５が得られる。もっとも、ステップＳ９は必ずしも必須ではなく、ステップＳ８で得られる板材をそのまま防音板材２１としてもよい。
【００７５】
＜４．遮音効果＞
上記のようにして作製した防音板材２１の遮音効果の試験を行った。比較材として、基礎板材１ａのみの板材を用いた。両板材の一方の面から（防音板材２１では、基礎板材１ａの側の面から）周波数１００〜８０００Ｈｚの音響波を投入し、他方の側に透過する音響波の強度を測定して、その透過損失を測定した。その結果、図１８に示すとおり、防音板材は、基礎板材のみのものに対し、約４倍の遮音効果を有することが分かった。
【００７６】
＜５．変形例＞
上記の実施形態において、基礎板材１ａの厚さｄ1は４mm以上であるとしたが、吸音性等を高めるためには、厚さｄ1が９mm以上であることが好ましい。特に、防音板材２１〜２５を壁６に取り付けて吸音材として用いる場合、厚さｄ1が９mm以上であり、かつ（または）、密度が超高密度以上であることが好ましい。また、特に高い吸音性等が必要とされる場合、基礎板材１ａの厚さｄ1を１８mm以上とすることが好ましい。
一方、防音板材２１〜２５を、レイヤー加工にて別の板材に貼り付けて用いたり、後述するように別の板材と組み合わせて立体形状の物品を構成したりする場合、基礎板材１ａの厚さｄ1を４mmとし、かつ、密度を超超高密度とすることが好ましい。
【００７７】
また、上記の実施形態に係る防音板材２１〜２５は、例えば壁６と壁６の間に吊り下げて、間仕切りとして用いてもよい。この場合、防音板材２１〜２５によって仕切られた一方側の音や熱が、他方側に伝わりにくくなる。
【００７８】
あるいは、防音板材２１〜２５は、図１０に示されるように、テグス等で天井８から吊り下げて用いてもよい。この場合、防音板材２１〜２５によって装飾効果を得ることができる。また、該防音板材２１〜２５によって室内の音が吸収されるので、天井８側に音が漏れにくくなるとともに、天井８による音の反響が低減され、室内の音響環境を良好なものとすることもできる。
【００７９】
また、防音板材２１〜２５を天井８から吊り下げて用いる場合に、例えば、防音板材２１〜２５の真ん中に穴を設けておき、ここに天井８から吊り下げられているライトを配設する（つまり、ライトの回りを囲むように防音板材２１〜２５を配設する）ことで、高い装飾効果を得ることもできる。
【００８０】
また、上記の実施形態に係る防音板材２１は、例えば、避難所等で、床に敷いてマットレスとして使用したり、個人スペースを作るための仕切りとして使用したりすることもできる。上述したとおり、防音板材２１は、吸収音性、クッション性、保温性、等に優れているため、避難所等において様々な態様で使用することができ、特に有用である。
【００８１】
防音板材２１を、避難所でのクッション材や仕切り等として用いる場合、該防音板材２１に上述した溝１４を形成しておくことが特に好ましい（防音板材２５）。すなわち、上述したとおり、溝１４を形成しておけば防音板材２５をコンパクト化することができるので、保管に必要なスペースが小さくてすむ。また、溝１４を１本形成しておけば防音板材２５をＶ字状に折って自立させることができ、溝１４を２本形成しておけば防音板材２５をコの字状に折って自立させることができる。したがって、防音板材２５を、個人スペースを作るための仕切りとして使用するにあたって、面倒な設置作業等が不要となる。
【００８２】
また、上記の実施形態に係る防音板材２１において、図１１に示されるように、遮音シート１ｂが貼付される方の主面の例えば四隅付近に、板状の磁石１３を配設しておき、その磁力を利用して防音板材２６を金属の壁６等に取り付けるようにしてもよい。この場合、磁石１３は、防音板材２６（基礎板材１ａ）の主面に対して接着剤等を用いて貼付固定してもよいし、防音板材２６（基礎板材１ａ）の主面に対して埋設固定しても良い。前者の場合、防音板材２６が該壁６に取り付けられたときに、防音板材２６と壁６が僅かに（すなわち、磁石１３の厚さから遮音シート１ｂの厚さを減じた分だけ）離間した状態となるので、防音板材２６から壁６に音や衝撃等が伝わりにくい、ひいては、外部に音や振動等が特に伝わりにくい。すなわち、磁石１３がスペーサー部材としても機能する。磁石１３を用いて防音板材２６を壁６等に取り付ける構成によると、防音板材２６の壁６等に対する取り付けおよび取り外しを容易に行うことができる。また、配設位置の変更も容易に行うことができる。
【００８３】
また、防音板材２６を壁６等に取り付けるにあたって、凹型の磁石（雌磁石）とこれとはまり合う凸型の磁石（雄磁石）からなる一対の磁石（所謂、マグネットホック）を用いてもよい。この場合、例えば、雄磁石および雌磁石のうちの一方を防音板材２６に、他方を壁６に、それぞれ配設しておき、それらの磁力を利用して防音板材２６を壁６等に取り付けるようにすればよい。マグネットホックを用いて防音板材２６を壁６等に取り付ける構成によると、金属に限らずどのような材質の壁６等にも防音板材２６を取り付けることができる。また、防音板材２６の取り付けおよび取り外しを容易に行うことができる。さらに、防音板材２６が壁６等に対して位置ずれを起こすことも防止できる。
【００８４】
また、上記の実施形態において、防音板材２１を複数個重ねて貼り合わせて（あるいは、１個以上の防音板材２１と別の部材とを重ね合わせて貼り合わせて）複合板材１００としてもよい。複数枚の防音板材２１等の貼り合わせは、例えば虫ピンを用いてもよいし、接着剤あるいは粘着剤を用いてもよいし、熱圧着によって行ってもよい。また、複数個の防音板材２１等を重ね合わせることで得られる多層構造の複合板材１００は、その層数が多いほど、厚さ、強度、吸収音性、クッション性、保温性、等が増すことになる。
【００８５】
図１２には、一例に係る複合板材１００（１００ａ）が示されている。この複合板材１００（１００ａ）は、２個の防音板材２１を重ねて貼り合わせることによって形成されている。このような複合板材１００（１００ａ）は、壁６等に配設して用いてもよいし、例えば図示されるように、スタンド９３で支持して仕切り材等として用いてもよい。複合板材１００（１００ａ）は高い強度を有するために、図示されるように、その下端部分をスタンド９３で支持するだけで確実に自立することができる。
【００８６】
図１３には、別の例に係る複合板材１００（１００ｂ）の断面が示されている。この複合板材１００（１００ｂ）は、２個の防音板材２１の間に、軟質のフェルト（すなわち、防音板材２１よりも密度が小さいフェルト）３を挟み込み、部分的に圧縮することによって各層２１，３，２１を一体化することによって形成されている。
【００８７】
また、上記の実施形態において、原綿に除菌用ポリエステル糸を混ぜ込むことによって抗菌防臭加工を施す態様を例示したが、これによる抗菌効果や防臭効果は、時間が経つにつれて薄れてくる可能性がある。この場合は、市販されている例えばスプレータイプの消臭剤や抗菌剤を基礎板材１ａに吹き付けることで、該効果を再び得ることができる。基礎板材１ａは、高圧縮フェルトにより形成されているため、スプレータイプの消臭剤や抗菌剤を容易に吸収する。したがって、これらの効果を十分に得ることができる。
【００８８】
［第２の態様］
＜１．構成１＞
本考案に係る防音板材の第２の態様に係る防音板材について、図１４を参照しながら説明する。図１４は、防音板材２７を模式的に示す図であり、(a)は表面、(b)は裏面である。
【００８９】
防音板材２７は基礎板材１ａとファブリックシート１ｃから成る。基礎板材１ａは前記基礎板材１ａと同じものであり、高圧縮フェルトにより形成され、厚さが４mm以上の平板形状である。また、基礎板材１ａはその基準撓み量が１５０mm以下である。
【００９０】
ファブリックシート１ｃは、基礎板材１ａの一方の主面の全面と、その周囲の４つの端面、そして、それら４つの端面からに前記主面とは反対側の主面の周囲部分までを覆う。ファブリックシート１ｃは目の粗いポリエステル９０％、綿１０％製の厚さが０．５〜１．５mmのシートである。
【００９１】
＜２．構成２＞
第２の態様の防音板材において、図１５に示すように、前記防音板材２７の、ファブリックシート１ｃを貼付した面の反対側の主面のほぼ全面に遮音シート１ｂを貼付してもよい。この場合、遮音シート１ｂは、基礎板材１ａが隠れるように、ファブリックシート１ｃの折返し部の一部を覆うように貼付することが好ましい。こうして作製された防音板材２８は、一方の面のファブリックシート１ｃ、内部の基礎板材１ａ、そして他方の面の遮音シート１ｂの３段により吸音・遮音されるため、より防音効果が高い。
【００９２】
また、図１６に示すように、前記の片面ファブリックシート張りの防音板材２７を２枚用意し、それらのファブリックシート２１ｂを貼付した面を外側にして貼り合わせ、固定して、１枚の防音板材２８としてもよい。この防音板材２８は、両面がファブリックシートで覆われているため、パーティションとして使用することができる。
【符号の説明】
【００９３】
２１、２２、２３、２４、２５、２６、２７、２８…防音板材
１ａ…基礎板材
１ｂ…遮音シート
１ｃ…ファブリックシート
１０…傾斜面
１１…模様
１２…スペーサー部材
１３…磁石
１４…溝
２…ピン
３…軟質フェルト
６…壁
７…床
８…天井
９１…樹脂ネジ
９２…脚部
９３…スタンド
１００…複合板材
【図１】
0003223451.tif 000003
【図２】
0003223451.tif 000004
【図３】
0003223451.tif 000005
【図４】
0003223451.tif 000006
【図５】
0003223451.tif 000007
【図６】
0003223451.tif 000008
【図７】
0003223451.tif 000009
【図８】
0003223451.tif 000010
【図９】
0003223451.tif 000011
【図１０】
0003223451.tif 000012
【図１１】
0003223451.tif 000013
【図１２】
0003223451.tif 000014
【図１３】
0003223451.tif 000015
【図１４】
0003223451.tif 000016
【図１５】
0003223451.tif 000017
【図１６】
0003223451.tif 000018
【図１７】
0003223451.tif 000019
【図１８】
0003223451.tif 000020